(57)【要約】【課題】  従来の紙葉類処理システムは、紙葉類に付記された識別記号を読取る読取手段とは別に処理ボックスに付記された識別記号を読取る読取手段を備えることが必要となり、システム構成が複雑になる。【解決手段】  バッチカードとトレイカードは同一カードを用い、更にカードの同じ箇所に識別符号を付すことによって、処理ボックスに識別符号を付与しその識別符号を読取る読取手段を別途設けることなく簡易なシステム構成で、準備装置１２０で行う前処理段階と紙葉類処理装置１１０で行う装置処理段階の照合作業を行うことが出来るため、例えば処理ボックス内の１バッチ分の計数し忘れや、故意による１バッチ分抜き取りを防止することが可能となる。つまり、従来の紙葉類処理システムに比べ簡易なシステム構成で、従来の紙葉類処理システムと同等の作業を行うことが出来る。【選択図】  図２
2010086006.tif 000002
【特許請求の範囲】
【請求項１】
準備装置と紙葉類処理装置とサーバとが通信回線により接続され、紙葉類を計数し区分処理する紙葉類処理システムであって、
前記準備装置は、
利用者が前記紙葉類の供給元を示す属性情報を入力する入力手段と、
複数の処理単位毎に区分された前記紙葉類の先頭及び後尾に挿入された第１のカードに付与された識別符号及び前記複数の処理単位の中に挿入された第２のカードに付与された識別符号を読取る第１の読取手段と、
前記利用者によって入力された前記属性情報と前記第１の読取手段によって読取られた第１の識別情報とを処理し、その処理した準備処理情報を前記サーバに前記通信回線を介して送信する送信手段と、を備え、
前記紙葉類処理装置は、
前記準備装置で準備された、前記紙葉類、前記第１のカード及び前記第２のカードを搬送して区分処理する装置であって、
前記第１のカードに付与された識別符号及び前記第２のカードに付与された識別符号を読取る第２の読取手段と、
前記通信回線を介して前記サーバから取得した準備処理情報と前記第２の読取手段によって読取った第２の識別情報とを照合する照合手段と、
を備えることを特徴とする紙葉類処理システム。
【請求項２】
前記第１の読取手段はハンドスキャナなど操作員が操作可能なもので、前記第２の読取手段は、搬送される前記第１のカード及び第２のカードを読取るバーコードリーダを備えることを特徴とする請求項１記載の紙葉類処理システム。
【請求項３】
準備装置と紙葉類処理装置とサーバとが通信回線により接続され、紙葉類を計数し区分処理する紙葉類処理システムの照合方法であって、
前記準備装置は、
利用者が前記紙葉類の供給元を示す属性情報を入力する入力ステップと、
複数の処理単位毎に区分された前記紙葉類の先頭及び後尾に挿入された第１のカードに付与された識別符号及び前記複数の処理単位の中に挿入された第２のカードに付与された識別符号を読取る第１の読取ステップと、
前記利用者によって入力された前記属性情報と前記第１の読取ステップにおいて読取られた第１の識別情報とを処理し、その処理した準備処理情報を前記サーバに前記通信回線を介して送信する送信ステップと、を備え、
前記紙葉類処理装置は、
前記準備装置で準備された、前記紙葉類、前記第１のカード及び前記第２のカードを搬送して区分処理する装置であって、
前記第１のカードに付与された識別符号及び前記第２のカードに付与された識別符号を読取る第２の読取ステップと、
前記通信回線を介して前記サーバから取得した準備処理情報と前記第２の読取ステップにおいて読取った第２の識別情報とを照合する照合ステップと、
を備えることを特徴とする紙葉類処理システムの照合方法。
【発明の詳細な説明】
【技術分野】
【０００１】
本発明は、紙葉類処理システム及び紙葉類処理システムの照合方法に関する。
【背景技術】
【０００２】
従来の紙葉類処理システムは、処理ボックスに識別情報を付記し、処理ボックスの識別情報とバッチカードの識別情報とを関連付けることにより例えば１バッチ分の計数し忘れや、故意による１バッチ分抜き取りを防止することが出来るようになっている。（例えば、特許文献１参照。）。
【特許文献１】特開２００７−２００１４９号公報  （第８頁、図１乃至図５）
【発明の開示】
【発明が解決しようとする課題】
【０００３】
しかしながら、トレイに付記された識別情報を読取る装置を紙葉類処理システムに別途設ける必要がありシステム構成が複雑となる。また、システム構成を簡便化することは容易ではない。
【０００４】
そこで、本発明は簡易なシステム構成で１バッチ分の計数し忘れや故意による１バッチ分抜き取りを防止する紙葉類処理システム及び紙葉類処理システムの照合方法を提供することを目的とする。
【課題を解決するための手段】
【０００５】
準備装置と紙葉類処理装置とサーバとが通信回線により接続され、紙葉類を計数し区分処理する紙葉類処理システムであって、前記準備装置は、利用者が前記紙葉類の供給元を示す属性情報を入力する入力手段と、複数の処理単位毎に区分された前記紙葉類の先頭及び後尾に挿入された第１のカードに付与された識別符号及び前記複数の処理単位の中に挿入された第２のカードに付与された識別符号を読取る第１の読取手段と、前記利用者によって入力された前記属性情報と前記第１の読取手段によって読取られた第１の識別情報とを処理し、その処理した準備処理情報を前記サーバに前記通信回線を介して送信する送信手段と、を備え、前記紙葉類処理装置は、前記準備装置で準備された、前記紙葉類、前記第１のカード及び前記第２のカードを搬送して区分処理する装置であって、前記第１のカードに付与された識別符号及び前記第２のカードに付与された識別符号を読取る第２の読取手段と、前記通信回線を介して前記サーバから取得した準備処理情報と前記第２の読取手段によって読取った第２の識別情報とを照合する照合手段と、を備えることを特徴とする。
【発明の効果】
【０００６】
本発明によれば、従来の紙葉類処理システムに比べ簡易なシステム構成で、例えば処理ボックス内の１バッチ分の計数し忘れや故意による１バッチ分抜き取りを防止することが可能となる。
【発明を実施するための最良の形態】
【０００７】
以下、図面を参照して本発明の実施の形態を詳細に説明する。
【実施例１】
【０００８】
図１は、本発明の一実施の形態である紙葉類処理システムの構成図である。この紙葉類処理システムには、紙葉類処理装置１１０、上位システムＤＢ（データベース）１００、準備装置１２０が設けられている。
【０００９】
準備装置１２０は、ＰＣ（Ｐｅｒｓｏｎａｌ  Ｃｏｍｐｕｔｅｒ）でありキーボード（請求項中の入力手段）などにより利用者が情報を入力することができる。また準備装置１２０にはハンドスキャナ１２１（請求項中の第１の読取手段を指す。）が接続されておりバッチカード（請求項中の第１のカードを指す。）及びトレイカード（請求項中の第２のカードを指す。）の登録処理が行われる。バッチカード及びトレイカードの登録処理とは、バッチカード及びトレイカードに付与されているバーコード（請求項中の識別符号を指す。）をハンドスキャナ１２１で読み取り、その読み取った情報（請求項中の第１の識別情報）及び利用者が準備装置１２０に入力した情報（請求項中の属性情報を指す、本発明の実施形態では金融機関情報、例えば、紙葉類の金額や、口座番号として説明をする。）を処理し、その処理した情報（請求項中の準備処理情報を指す。）を送信部（請求項中の送信手段を指す。図示しない。）により上位システムＤＢ１００（請求項中のサーバを指す。）に送信することである。
【００１０】
このようにして登録されたバッチカード、トレイカード及び紙葉類Ｐを処理ボックス（図示しない。）にセットする。このようにして、処理ボックスにセットされた複数の処理単位の紙葉類Ｐは、紙葉類処理装置１１０に供給される。なお、バッチカードとトレイカードは同一カードを用い、カードの同じ箇所にバーコードを付与する。
【００１１】
紙葉類処理装置１１０は、操作部５５０及び紙葉類処理部１で構成され、上位システムＤＢ１００に通信回線を介して接続されている。
【００１２】
操作部５５０は、紙葉類処理部１で行う業務内容の指示、この指示された業務内容に基づく取引内容の指定、及び紙葉類処理部１での取引結果を入手し、その入手結果を上位システムＤＢ１００に送信する。すなわち、紙葉類処理部１で読み取ったバッチカード番号、トレイカード番号及び処理した計数金額を送信する。
【００１３】
紙葉類処理部１は、操作部５５０に接続され、操作部５５０からの取引指示に基づいて、上記処理ボックスにセットされた紙葉類が供給される。上記紙葉類処理部１によって紙
葉類が１枚ずつ判別され、その判別結果に基づいて区分処理される。この紙葉類処理中に
排除券が発生した場合、発生した排除券はリジェクト集積部８０に集積される。
【００１４】
図２は、本発明の実施例による紙葉類処理装置１１０の概略断面図である。紙葉類処理
装置１１０は、紙葉類処理部１及び操作部５５０で構成されている。
【００１５】
操作部５５０に接続された操作表示部５５２から利用者の操作によって、入金業務、整理業務などの取引方法の設定、処理した紙葉類Ｐを収納する収納庫（以下、カセットと称する。）を設定するカセットアサイン、及び紙葉類Ｐの正損レベル設定などが行われる。この設定の後、供給部１０に供給された複数券種の紙葉類Ｐが一定の間隔で１枚ずつ取り出されて搬送され、上記カセットアサインによって設定されたカセット（５７Ｄ〜６２Ｄ）に収納、又は施封される。また、設定した業務の取引終了時には、各業務終了に伴う取引の区切り処理が行われる。さらに、１日の業務終了などの単位で取引計数を集計し、上位システムＤＢ１００に取引結果を通知するバランス処理が行われる。この上位システムＤＢ１００には、例えば、本実施例の紙葉類処理装置１１０が複数台接続され、各紙葉類処理装置１１０の稼動状況の把握や、各紙葉類処理装置１１０からの処理結果の集計を行うことができる。
【００１６】
入金業務とは、予め合計金額のわかっている複数券種の紙葉類Ｐを、紙葉類処理装置１１０を用いて、券種毎、搬送方向毎、正損毎に区分し、紙葉類処理装置１１０で計数した金額が正しいことを確認し、上位システムＤＢ１００に登録する業務である。なお、この業務によって処理された紙葉類Ｐは、上述した集積装置５７〜６２の各カセット５７Ｄ〜６２Ｄに集積され、又は施封部４で施封される。
【００１７】
整理業務とは、入金業務において上位システムＤＢ１００に計数を登録しない業務である。取引した券種を計数することが目的ではなく、一度入金業務などで計数を行った券種をさらに詳細に（例えば、表裏及び正損毎に）集積装置５７〜６２の各カセット５７Ｄ〜６２Ｄに集積したり、施封を行ったりするために使用する。
【００１８】
カセットアサインとは、集積装置５７〜６２の各カセット５７Ｄ〜６２Ｄに収納する券種、及び施封部で施封する券種を設定することである。
【００１９】
正損レベル設定とは、再流通可能な正券と再流通不可能な損券に区分する閾値である正損判別レベルを設定することである。詳細は後述するが、正損判別レベルの値が大きくなるほど損券枚数が多くなる。
【００２０】
取引の区切り処理とは、各取引終了後、例えば操作表示部５５２に設けられた完了ボタン（図示しない）が押下されたとき、上記集積装置５７〜６２に集積された紙葉類を各カセット５７Ｄ〜６２Ｄに収納する処理のことで、紙葉類が収納された各カセットは、利用者によって空のカセット１３と交換される。
【００２１】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｒｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００２２】
紙葉類処理部１は、紙葉類Ｐを供給する供給部１０と、この供給部１０から供給された紙葉類Ｐを１枚ずつ取り出す紙葉類取出部２００と、紙葉類取出部２００によって取り出された紙葉類Ｐを搬送する搬送路１６とを有している。また、この搬送路１６によって搬送される紙葉類Ｐの搬送スキュー、搬送位置ずれ（搬送スライド）を補正する搬送補正部２１０が配置されている。さらに、この搬送補正部２１０によって搬送補正された紙葉類Ｐを１枚ずつ判別する紙葉類判別部１９、及び上記バッチカード及びトレイカードのバーコードを読み取るバーコードリーダ７０（請求項中の第２の読取手段を指す。）が搬送路１６に沿って配置されている。
【００２３】
紙葉類判別部１９による紙葉類の判別結果及びバーコードリーダ７０の読取結果は、紙葉類処理装置１１０を制御する主制御部５００に送信される。主制御部５００は、受信した判別結果に基づいて、後述する搬送制御部２６、施封制御部４００を制御する。搬送制御部２６は、紙葉類の搬送を制御するもので、分岐ゲートＧ１、Ｇ２、・・・Ｇ８、及び搬送方向を揃えるために反転する反転処理部を制御する。このようにして搬送方向の揃えられた紙葉類Ｐは、操作表示部５５２によって設定された区分方法に基づいて施封する施封部４で施封され、又は券種毎に集積する集積部５０で集積される。
【００２４】
さらに、紙葉類処理部１はインターフェース５０１を介して操作部５５０に接続されて
いる。以下、紙葉類処理部１の構成を紙葉類Ｐの供給部１０から順に説明する。
【００２５】
上記供給部１０は、４種類の搬送方向が混在する紙葉類Ｐを当接して整位するステージ１１と、このステージ１１に対して鉛直方向に立設したバックアッププレート１２とで構成されている。また、このバックアッププレート１２は、バネ１３の付勢力によってステージ１１に沿って左側に移動可能になっている。このようにして供給された紙葉類Ｐは、バックアッププレート１２によりピックアップローラ５側に圧接される。この状態において、紙葉類Ｐは、取り出しローラ３０が回転することにより一定間隔を有して１枚ずつ取り出されて搬送路１６に繰り出される。
【００２６】
搬送補正部２１０は、搬送ローラ２１１の搬送方向下流に近接して設置されて紙葉類Ｐを検知するタイミングセンサＳＣ１と、搬送ローラ２１３、２１４及び図示しない搬送ガイドで構成される。
【００２７】
分岐ゲートＧ１は、例えば、リジェクト券と、処理券とに振り分けるゲートである。リジェクト券とは、紙葉類判別部１９で紙葉類Ｐを判別した結果、紙葉類Ｐが偽券、又は折れ、破れ、スキューなどにより判別のできない「判別不能券」と判別された紙葉類をいう。この判別結果を搬送制御部が受信すると、分岐ゲートＧ１を右側（時計方向）に回動することにより、当該リジェクト券をリジェクト集積部８０に集積する。
【００２８】
また、処理券とは、紙葉類判別部１９で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００２９】
反転処理部は、スイッチバック反転部（図示しない）及び表裏反転部９で構成され、取り揃える方向により上記スイッチバック反転部及び表裏反転部９の一方、若しくは両方が使用される。
【００３０】
分岐ゲートＧ２は、表裏反転分岐ゲートである。紙葉類判別部１９で判別された紙葉類Ｐの搬送方向の判別結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００３１】
表裏反転部９は、紙葉類判別部１９で判別された結果に基づき、紙葉類Ｐの搬送方向の表裏を反転する。例えば搬送方向が裏正（ＢＦ）の場合、表裏反転部９によって表正ＦＦになる。
【００３２】
分岐ゲートＧ３は、搬送される紙葉類Ｐを搬送路１６から施封部４、又は集積部５０に分岐する分岐ゲートである。搬送される紙葉類Ｐが主制御部５００によって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００３３】
施封部４及び集積部５０には、紙葉類Ｐが搬送される搬送路から分離するために搬送路の終端に紙葉類Ｐを集積する集積装置として羽根車集積装置が設けられている。
【００３４】
この羽根車集積装置は、例えば、集積装置５７の場合、羽根車５７Ａ、一時集積庫５７Ｂ、シャッター５７Ｃ、カセット５７Ｄ、及び集積を補佐するプッシャ（図示しない）などの装置で構成される。
【００３５】
羽根車５７Ａは、複数の羽根が回転軸の周辺に組み込まれており、搬送されてきた紙葉
類Ｐを羽根と羽根の間で受け取れるように紙葉類Ｐの搬送に同期して回転している。この
羽根車を使用することによって、高速に搬送される紙葉類Ｐの運動エネルギーを吸収しな
がら、かつ、紙葉類Ｐを整位しながら一時集積庫５７Ｂに集積する。
【００３６】
一時集積庫５７Ｂは、集積装置５７で使用される一時集積庫５７Ｂと、施封部４の一時
集積庫４２Ｂとでは以降で処理する目的が異なるために形態が異なっている。
【００３７】
集積装置５７で使用される一時集積庫５７Ｂには、シャッター５７Ｃが備えられており、このシャッター５７Ｃの上に紙葉類Ｐが集積される。そして、このシャッター５７Ｃに集積された紙葉類Ｐは、例えば満杯になったとき、又は業務終了指示（図示しない）などがあると、シャッター５７Ｃが開き、シャッター５７Ｃ下部に設けられたカセット５７Ｄに設けられたバックアッププレート（図示しない）の上に落下する。落下した紙葉類Ｐは、プッシャーによってカセット５７Ｄに押し込まれる。従って、押し込まれる紙葉類の枚数が増えるとバックアッププレートは下側に移動する。以上の動作は、集積装置５７〜６２で共通である。
【００３８】
施封部４は、第１集積部４２、第２集積部４３、搬送部、紙帯部４６、帯送り部４７、帯巻き部４８で構成される。本実施例では、施封部４が、上記第１集積部４２、第２集積部４３を有している場合を説明するが、必要に応じてこれら２個の集積部を対にして複数セット用いてもよい。
【００３９】
第１集積部４２及び第２集積部４３は、共に同様に構成されているため、第１集積部４２についてその構成を説明し第２集積部４３の説明を省略する。
【００４０】
第１集積部４２には、施封搬送路４０Ａから紙葉類を分岐する分岐ゲートＧ１２、振り分けられた紙葉類Ｐを搬送する搬送路４０Ｂ、搬送路４０Ｂの終端から送り出された紙葉類を受け取る羽根車４２Ａ、この羽根車４２Ａによって受け取られた紙葉類Ｐを集積する一時集積庫４２Ｂ、集積された紙葉類Ｐを押圧するプッシャー（図示しない）が設けられている。以下、施封部４の各部構成について詳細に説明する。
【００４１】
一時集積庫４２Ｂは、搬送される紙葉類Ｐを計数し１００枚毎に区分して集積するバックアッププレート４２Ｃを備えている。
【００４２】
搬送部は、縦搬送路４４Ａ、４４Ｂ、搬送キャリア４４Ｄ、及び横搬送路４４Ｃから構成される。縦搬送路４４Ａ、４４Ｂは、バックアッププレート４２Ｃ、４３Ｃで受けた１００枚紙葉類４５を上昇又は下降するためのものである。また、搬送キャリア４４Ｄは、縦搬送路４４Ａ又は縦搬送路４４Ｂの停止位置でバックアッププレート４２Ｃ又は４３Ｃから１００枚紙葉類４５を受け、施封トレイ（図示しない）に渡すために横搬送路４４Ｃ上を往復移動することができるように構成される。
【００４３】
紙帯部４６は、施封トレイに積載された１００枚紙葉類４５を施封するための紙帯４６Ａ、この紙帯４６Ａに印刷するための印刷機能と印刷された紙帯４６Ａを送る機能とを備えた帯送り部４７、１００枚紙葉類４５を帯送り装置から送られた印刷済み紙帯で施封する帯巻き部４８、及び施封部４を制御する施封制御部４００とで構成される。
【００４４】
図３は、主制御部５００に接続される紙葉類判別部１９、搬送制御部２６、施封制御部４００、及び操作部５５０の接続状態を示すブロック図である。
【００４５】
主制御部５００は、操作部５５０の指示に基づいて、搬送された紙葉類Ｐの判別結果を紙葉類判別部１９から受信し、紙葉類Ｐを区分処理するために、搬送制御部２６、及び施封制御部４００を制御する。また、紙葉類Ｐの判別結果を操作部５５０に送信する。
【００４６】
紙葉類判別部１９は、正損レベル検知手段として紙葉類Ｐの光学的特性を検知する。また、真偽検知手段として紙葉類Ｐの磁気的特性を検知する。これらの検知を行うための複数のセンサ１〜ｎが設けられており、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽判別手段によって真偽（本物か偽物か）が判別され、正損判別手段によって正損（正券か損券か）が判別される。紙葉類判別部１９の全体を制御するＣＰＵ２１と、このＣＰＵ２１によってアクセスされる記憶部２５、及びＣＰＵ２１で判別された結果を主制御部５００との間で通信するためのＩ／Ｆ部２２とで構成される。
【００４７】
搬送制御部２６は、紙葉類判別部１９の判別結果により、搬送される紙葉類Ｐの行き先を決定して、紙葉類Ｐの搬送制御を行うＣＰＵ２７と、このＣＰＵ２７によってアクセスされる記憶部２９と、主制御部５００とのＩ／Ｆ部２８とで構成される。
【００４８】
主制御部５００は、主制御部５００を制御するＣＰＵ５０４、記憶部５０５、インターフェース部５０３を備えており、紙葉類判別部１９、搬送制御部２６、及び施封制御部４００に接続される。また、インターフェース５０１を介して操作表示部５５２と接続される。
【００４９】
ＣＰＵ５０４は、操作表示部５５２から利用者によって設定された入金業務、整理業務などの取引方法の設定、処理した紙葉類Ｐを収納する収納庫を設定するカセットアサインの設定、及び紙葉類の判別レベルである正損判別レベル設定などの情報を紙葉類判別部１９に送信する。また、紙葉類Ｐの判別結果を紙葉類判別部１９から受信し、操作部５５０に送信する。ここでは、取引の区切り処理が行われた際の取引計数が送信される。
【００５０】
図４は処理ボックスに積載された紙葉類の状態を示す図である。図示した例は２バッチの紙葉類が処理ボックスに積載された状態を示しており、最初のバッチＰ１は、バッチカード８１ａ、紙葉類群Ｐａ、及びバッチカード８１ｃで構成され、次のバッチＰ２は、バッチカード８２ａ、紙葉類群Ｐｂ、及びバッチカード８２ｃで構成されており、バッチカード８１ａから先に取り出されるように紙葉類処理装置１１０に供給される。また、処理ボックスにはトレイカード８２ｔが１枚挿入されている。ここでは、トレイカード８２ｔはバッチカード８２ｃに続く形で処理ボックスに挿入されているが紙葉類と同様に積載されれば順序は問わない。以下においては、トレイカード８２ｔはバッチカード８２ｃに続く形で積載されている状態で説明する。
【００５１】
図５は、図４に示す紙葉類群Ｐ１、Ｐ２を紙葉類処理部１０の供給部１０に供給した状態を示す。図示したように、紙葉類群Ｐ１のバッチカード８１ａから先に１枚ずつ取り出される。なお、この取り出されたバッチカードは、紙葉類と異なるため、バッチカードに付与されたバーコードがバーコードリーダ７０によって読み取られた後にリジェクト集積部８０に集積される（詳細は後述する。）。
【００５２】
以上のように構成された紙葉類処理装置１１０におけるバッチカード処理を説明する。バッチカード処理とは、現金処理センターや銀行などで、紙葉類の受け入れ業務を行う際の業務手法である。本実施例では、入金業務を準備装置１２０で行う前処理、紙葉類処理装置１１０で行う装置処理の２段階に分担して行う例を説明する。
【００５３】
前処理では、利用者による紙葉類受け入れフェーズであり、受け入れた紙葉類のバッチ毎にバッチカードを発行し、発行されたバッチカードと、紙葉類を分離するためのバッチカードとの間に処理する紙葉類を挟みこんで処理ボックスにセットされる。先に述べたように処理ボックスには一枚のトレイカードが挿入される。このバッチカード、紙葉類、トレイカードの組み合わせで１バッチが形成される。小口バッチでは、処理ボックスの中に複数のバッチが存在することになる。
【００５４】
装置処理では、前処理でセットされた処理ボックスの紙葉類をバッチ毎に区分処理するフェーズである。このフェーズで区分処理された紙葉類は上述した集積部５０又は施封部４で施封される。このフェーズは既に説明したので省略する。
【００５５】
図６は本発明の実施の形態である紙葉類処理システムによるバッチカード処理を説明するフローチャートである。先に述べたように大きくは利用者による紙葉類受け入れフェーズであり準備装置で行う前処理と、前処理でセットされた処理ボックスの紙葉類を紙葉類処理装置１１０によりバッチごとに区分処理をする装置処理との二段階で行われる。この説明においても図４の場合同様２バッチの場合で説明するが、バッチ数には拠らない。
【００５６】
最初に準備装置１２０で行う前処理を説明する。利用者は準備装置１２０にキーボードを用いて口座番号や紙葉類の合計金額を入力する（Ｓ１）（入力ステップ）。
【００５７】
続いて、利用者は処理ボックス単位で準備装置１２０に接続されているハンドスキャナ１２１によってバッチカードに付与されたバーコード及びトレイカードに付与されたバーコードを読取り、上位システムＤＢ１００に登録処理を行う（Ｓ２）（第１の読取ステップ）。処理ボックスには１枚のトレイカードが存在するため、トレイカード１枚に対してバッチカードが何枚あるか、またバッチカードの番号が上位システムＤＢに登録される（Ｓ３）（送信ステップ）（図７参照）。
【００５８】
最初の処理ボックス内のバッチカードとトレイカードの登録処理を行う。本発明の実施の形態では、ハンドスキャナ１２１により読取られたトレイカードに付与されたバーコードの読取結果として、トレイカードの番号は１０００、同じ処理ボックス内のバッチカードに付与されたバーコードの読取結果として、バッチカード番号は、２、１０、１１、１３でありバッチカードの枚数は４枚である。
【００５９】
また、最初の処理ボックス同様に次の処理ボックス内にはトレイカードの番号２０００に対応する同処理ボックス内のバッチカードの番号は、３，１４，１５でありバッチカードの枚数は３枚である。
【００６０】
図７は、本発明の実施の形態における上位システムＤＢに記憶されている準備装置１２０から取得したトレイカードに対するバッチカード枚数及びそのトレイカードの番号、バッチカードの番号の情報（請求項中の準備処理情報を指す。）の概念図である。
【００６１】
続いて、紙葉類処理装置１１０で行う装置処理を説明する。上記の処理ボックスに収められた紙葉類、バッチカード及びトレイカードは紙葉類処理装置１１０の紙葉類処理部１によって計数処理され（詳細は上述の通り）、併せてバッチカードに付与されたバーコード及びトレイカードに付与されたバーコードがバーコードリーダ７０によって読取られる（Ｓ４）（第２の読取ステップ）。そしてこの読取られた情報（請求項中の第２の読取情報を指す。）は記憶部５０５に記憶される。
【００６２】
本発明の実施の形態では、最初の処理ボックスの読取結果はトレイカードの番号１０００に対応する同処理ボックス内のバッチカード番号が２，１０，１１，１３でバッチカードの枚数は４枚である。また、次の処理ボックスの読取結果は、トレイカードの番号２０００に対応する同処理ボックス内のバッチカード番号が３，１４，１５でバッチカードの枚数は３枚であり、記憶部５０５に記憶される（図８参照）。
【００６３】
図８は、紙葉類処理装置１１０が備えるバーコードリーダ７０によって読取られたトレイカードに対するバッチカード枚数及びそのカード番号の情報の概念図である。
【００６４】
一方で、通信回線を介して上述の上位システムＤＢに記憶された情報を取得する（Ｓ５）。本発明の実施の形態では図７に該当する情報を取得する。
【００６５】
そして、請求項中の照合手段によって（図示しない。）この上位システムＤＢから取得した情報とＳ４で読取った情報との照合をする（Ｓ６）（照合ステップ）。
【００６６】
本実施の形態では、図７の情報と図８の情報に基づいて前処理と装置処理の前後でトレイカード毎のバッチカードの枚数に違いがないか、若しくはトレイカードの番号に対してバッチカードの番号に違いがないかを照合する。
【００６７】
具体的には本実施形態の場合、前処理段階では最初の処理ボックス内のトレイカードの番号は１０００、同処理ボックス内のバッチカードの番号は２，１０，１１，１３、バッチカード枚数４枚。装置処理段階での最初の処理ボックス内のトレイカードの番号は１０００、同処理ボックス内のバッチカードの番号は２，１０，１１，１３、バッチカード枚数４枚。前処理段階と装置処理段階を照合した結果「一致」。
【００６８】
次の処理ボックス内のトレイカードの番号は２０００、同処理ボックス内のバッチカードの番号は３，１４，１５、バッチカード枚数３枚。装置処理段階での次の処理ボックス内のトレイカードの番号は２０００、同処理ボックス内のバッチカードの番号は３，１４，１５、バッチカード枚数３枚。前処理段階と装置処理段階を照合した結果「一致」。以上のように照合処理を行う。
【００６９】
この照合処理をした結果は、紙葉類処理装置１１０が有する操作部５５０に表示する。ここで上記においては照合結果が「一致」した場合を説明したが、照合結果が「不一致」の場合は操作部５５０にその旨を表示し紙葉類処理部１の処理を停止するなどの処理を行う。
【００７０】
上述した本発明の実施の形態によればバッチカードとトレイカードのバーコードは同一カードを用い、カードの同じ箇所に識別符号を付与することにより簡易なシステム構成で、準備装置１２０で行う前処理段階と紙葉類処理装置１１０で行う装置処理段階の照合作業を行うことが出来るため、例えば処理ボックス内の１バッチ分の計数し忘れや、故意による１バッチ分抜き取りを防止することが可能となる。
【００７１】
なお、この発明は、上述した実施の形態そのままに限定されるものではなく、実施段階ではその要旨を逸脱しない範囲で構成要素を変形して具現化できる。
【図面の簡単な説明】
【００７２】
【図１】本発明の実施の形態である紙葉類処理システムの構成図。
【図２】紙葉類処理装置１１０の概略構成図。
【図３】主制御部に接続される紙葉類判別部、搬送制御部、施封制御部、及び操作部の接続状態を示すブロック図。
【図４】処理ボックスに積載された紙葉類の状態を示す図。
【図５】図４に示す紙葉類群を紙葉類処理部１に供給した状態を示す図。
【図６】紙葉類処理装置１１０によるバッチ処理を説明するフローチャート。
【図７】上位システムＤＢに記憶されている準備装置１２０から取得したトレイカードに対するバッチカード枚数及びそのカード番号の情報の概念図。
【図８】紙葉類処理装置１１０が備えるバーコードリーダによって読取られたトレイカードに対するバッチカード枚数及びそのカード番号の情報の概念図。
【符号の説明】
【００７３】
Ｐ  紙葉類
Ｇ１〜Ｇ８  分岐ゲート
Ｇ１２、Ｇ１３  分岐ゲート
１  紙葉類処理機
４  施封部
１０  供給部
１６  搬送路
１９  紙葉類判別部
３０  排除券集積部
４２〜４５  施封装置
４２Ｅ  横搬送路
４２Ｂ  一時集積庫
４２Ｆ  搬送キャリア
５０  集積部
５７〜６２  集積装置
７０  バーコードリーダ
１００  上位システムＤＢ
１１０  紙葉類処理装置
１２０  準備装置
１３０  排除券登録用情報登録ＰＣ
１２１  ハンドスキャナ
２１０  整列ユニット
２１０ａ１、２１０ａ２  センサ
２１０ｂ１、２１０ｂ２  位置補正ローラ
４００  施封制御部
５００  主制御部
５５２  操作表示部
【図１】
2010086006.tif 000003
【図２】
2010086006.tif 000004
【図３】
2010086006.tif 000005
【図４】
2010086006.tif 000006
【図５】
2010086006.tif 000007
【図６】
2010086006.tif 000008
【図７】
2010086006.tif 000009
【図８】
2010086006.tif 000010